(57)【要約】【課題】光記録媒体の情報記録面に記録装置を用いて可視情報を記録する方法であり、可視情報に階調をつけることにより見やすさとデザイン性の向上を図った光記録方法を提供する。【解決手段】コンパクトディスクを代表とする光記録媒体１００は、中心に媒体を固定するための中心孔１と、その内周に信号を記録する信号記録領域２と、更にその外周に本発明の可視化情報を記録する可視情報記録領域３により構成されている。【選択図】図１
2007287316.tif 000002
【特許請求の範囲】
【請求項１】
情報を記録可能な光記録媒体上に光ビームを用いて情報を記録する光記録方法において、前記光記録媒体上の信号記録領域以外の外周に、前記光ビームの熱量を変化させた情報を記録し、該情報が可視化された光情報として前記信号記録領域以外の外周の所定領域に記録され、
前記光ビームの熱量を所定量以上にすることにより前記可視化された光情報と前記光記録媒体上の信号記録領域とのコントラストを強くし、
前記可視化された光情報を前記光記録媒体上の信号記録領域以外の外周に記録する場合、前記光ビームを誘導する記録用案内溝の所定領域に、記録を行なわないことを特徴とする光情報記録方法。
【請求項２】
前記記録マークの形成時に用いる最大熱量を増減することにより前記可視化された光情報を形成することを特徴とする請求項１に記載の光情報記録方法。
【請求項３】
前記光記録媒体からのＲＦ信号の最小スペースのトップレベルをＩ３ｔ、最小記録マークのボトムレベルをＩ３ｂ、最大スペースのトップレベルをＩ１１ｔ、最大記録マークのボトムレベルをＩ１１ｂとし、前記最大記録マークと最小記録マークの振幅中心値の差をＡｓｙｍとした場合、Ａｓｙｍ＝（（Ｉ３ｔ＋Ｉ３ｂ）／２（Ｉ１１ｔ＋Ｉ１１ｂ）／２）／（Ｉ１１ｔ−Ｉ１１ｂ）から求められる前記Ａｓｙｍ値を変化させることにより前記可視化された光情報に階調を設けたことを特徴とする請求項１又は２に記載の光情報記録方法。
【請求項４】
前記Ａｓｙｍ値を小さくすることにより、前記可視化された光情報と前記光記録媒体上の信号記録領域とのコントラストを強くすること特徴とする請求項１乃至３の何れか一項に記載の光情報記録方法。
【請求項５】
前記階調の異なる領域とのＡｓｙｍ値の差が３％以上異なることを特徴とする請求項１乃至４の何れか一項に記載の光情報記録方法。
【請求項６】
前記光記録媒体からのＲＦ信号の最大スペースのトップレベルをＩ１１ｔ、最大記録マークのボトムレベルをＩ１１ｂ、信号振幅をＭ１１とした場合、Ｍ１１＝（Ｉ１１ｔ−Ｉ１１ｂ）／Ｉ１１ｔから求められる前記Ｍ１１値を変化させることにより前記可視化された光情報に階調を設けたことを特徴とする請求項１又は２に記載の光情報記録方法。
【請求項７】
前記Ｍ１１値を大きくすることにより、前記可視化された光情報と前記光記録媒体上の信号記録領域とのコントラストを強くすること特徴とする請求項１乃至６の何れか一項に記載の光情報記録方法。
【請求項８】
前記階調の異なる領域のＭ１１値の差が３％以上異なることを特徴とする請求項１乃至７の何れか一項に記載の光情報記録方法。
【請求項９】
前記光記録媒体の記録層にシアニン系色素及び又はアゾ系色素を用いていること特徴とする請求項１乃至７の何れか一項に記載の光情報記録方法。
【請求項１０】
前記光記録媒体の記録層が相変化材料によって構成され、前記記録層の構成元素が主にＡｇ及び又はＧｅ、Ｉｎ及び又はＧａ、Ｓｂ、Ｔｅ、Ｎ若しくはＯであり、前記Ａｇ及び又はＧｅの組成比をα、Ｉｎ及び又はＧａの組成比をβ、Ｓｂの組成比をγ、Ｔｅの組成比をδ、Ｎ若しくはＯの組成比をε（原子％）とした場合、
０＜α≦６
３≦β≦１５
５０≦γ≦９０
２０≦δ≦３５
０≦ε≦５
α＋β＋γ＋δ＋ε＝１００
を満足する材料により構成されていることを特徴とする請求項１乃至８の何れか一項に記載の光情報記録方法。
【請求項１１】
複数の線速で記録可能な相変化型光記録媒体を用いて記録する場合、前記相変化型光記録媒体が有する記録線速のうち、最も速い記録線速にて記録することを特徴とする請求項１乃至１０の何れか一項に記載の光情報記録方法。
【請求項１２】
複数の線速で記録可能な相変化型光記録媒体を用いて記録する場合、前記可視情報記録領域の記録用案内溝の信号振幅の大きさに基づいて記録線速を決定することを特徴とする請求項１乃至１１の何れか一項に記載の光情報記録方法。
【発明の詳細な説明】
【技術分野】
【０００１】
本発明は光情報記録方法に関し、特に記録可能なコンパクトディスク（ＣＤ−Ｒ／ＲＷ）及びＤＶＤ−Ｒ／ＲＷ、ＤＶＤ＋Ｒ／ＲＷなどに応用される光情報記録方法に関するものである。
【背景技術】
【０００２】
現在、最も普及している光記録媒体としてコンパクトディスク（ＣＤ）がある。ＣＤは当初の使用目的としての音楽用に加え、ＰＣの光記録媒体、動画の光記録媒体としても用いられるようになった。更に、この機能に加えて、これらのインフラを活用する記録可能な光記録媒体であるＣＤ−Ｒ／ＲＷが登場し、フォーマットの互換性の高さから、今日では事実上標準記録媒体としての位置を占めている。しかし、これらの記録媒体は、記録内容が外観上では見分けがつかないためラベルを記録媒体表面に貼って、そこに記録内容やファイル名を記入したり、あるいは、記録媒体を収納するケースに同じように記録内容やファイル名を記入しているのが現状である。このように、別の媒体に手書きで記録しなければならず、手間と時間を要しており、保管上の点から更なる改良が求められている。
この一つの解決手段として、特開平７−３２６０５４号公報には、ＣＡＶによりカッティングマシーンで可視情報を記録する方法について開示されており、また、特開平１１−６６６２５号公報には、ピットにより中間調画像の濃淡を可視化する方法について開示されている。しかし、何れの場合もＣＤ及びＤＶＤのＲＯＭのカッティング方法であり、本発明の記録可能な光記録媒体への記録方法とは大きく異なるものである。
【発明の開示】
【発明が解決しようとする課題】
【０００３】
本発明は、かかる課題に鑑み、光記録媒体の情報記録面に記録装置を用いて可視情報を記録する方法であり、可視情報に階調をつけることにより見やすさとデザイン性の向上を図った光記録方法を提供することを目的とする。
【課題を解決するための手段】
【０００４】
本発明はかかる課題を解決するために、請求項１は、情報を記録可能な光記録媒体上に光ビームを用いて情報を記録する光記録方法において、前記光記録媒体上の信号記録領域以外の外周に、前記光ビームの熱量を変化させた情報を記録し、該情報が可視化された光情報として前記信号記録領域以外の外周の所定領域に記録され、前記光ビームの熱量を所定量以上にすることにより前記可視化された光情報と前記光記録媒体上の信号記録領域とのコントラストを強くし、前記可視化された光情報を前記光記録媒体上の信号記録領域以外の外周に記録する場合、前記光ビームを誘導する記録用案内溝の所定領域に、記録を行なわないことを特徴とする。
ＣＤで代表される光記録媒体は内周からデータが記録されているため、外周部に信号情報が記録されていない領域ができる。そこで、この領域を利用して可視情報を記録することにより、図や文字などの情報を可視化して光記録媒体内の記録内容を表示することができる。その一つの方法として、光ビームの熱量を変調して濃淡の階調を形成することができる。また、内周に記録されている情報領域のデータは、最内周の試し書き領域で予め光パワーが最適値に決定されてデータが記録される。従って、ある一定の光パワー以上では書き込まれることはない。しかし、外周の可視化領域は厳密な光パワーの調節は必要ではないので、内周より強い光パワーで記録しても構わない。それによりデータ領域と可視化領域が明確になる。また、光記録媒体には信号を記録可能な案内溝が存在する。そこで、可視化領域に記録する情報のコントラストを強くする別な方法として、前記案内溝の全てに情報を記録する領域と案内溝を１本おきに記録する領域を設ければ、その境界でコントラストの差が生じて可視化情報を形成することができる。
かかる発明によれば、前記光記録媒体上の信号記録領域以外の外周に、前記光ビームの熱量を変化させた情報を記録し、該情報が可視化された光情報として前記信号記録領域以外の外周の所定領域に記録されるため、容易にしかも安価に記録内容の記録ができる。また、前記光ビームの熱量を所定量以上にすることにより前記可視化された光情報と前記光記録媒体上の信号記録領域とのコントラストを強くすることにより、可視領域の情報のコントラストを強くすることができる。また、前記光ビームを誘導する記録用案内溝の所定領域に、記録を行なわないことにより、コントラストの差を生じさせることができる。
【０００５】
請求項２は、前記記録マークの形成時に用いる最大熱量を増減することにより前記可視化された光情報を形成することも本発明の有効な手段である。
更に、別の方法として、光ビームの熱量をアナログ的に変化させれば同じ可視化情報を記録してもコントラストの異なる可視化像を形成することができる。また、前記請求項３、４による方法との組合わせにより更に細かくコントラストを生成することができる。かかる技術手段によれば、前記記録マークの形成時に用いる最大熱量を増減することにより前記可視化された光情報を形成するので、コントラストをアナログ的に変化させることができる。
請求項３は、前記光記録媒体からのＲＦ信号の最小スペースのトップレベルをＩ３ｔ、最小記録マークのボトムレベルをＩ３ｂ、最大スペースのトップレベルをＩ１１ｔ、最大記録マークのボトムレベルをＩ１１ｂとし、前記最大記録マークと最小記録マークの振幅中心値の差をＡｓｙｍとした場合、Ａｓｙｍ＝（（Ｉ３ｔ＋Ｉ３ｂ）／２（Ｉ１１ｔ＋Ｉ１１ｂ）／２）／（Ｉ１１ｔ−Ｉ１１ｂ）から求められる前記Ａｓｙｍ値を変化させることにより前記可視化された光情報に階調を設けたことも本発明の有効な手段である。
全ての振幅が等しければ、Ａｓｙｍ値は０となり、最大記録マークと最小記録マークの振幅中心値は一致する。しかし、これらの信号振幅のどれかを変化させるとＡｓｙｍ値は異なる値となり、最大記録マークと最小記録マークの振幅中心値は一致しなくなる。この変化を利用して階調を微妙に変化させることができる。かかる技術手段によれば、Ａｓｙｍ＝（（Ｉ３ｔ＋Ｉ３ｂ）／２（Ｉ１１ｔ＋Ｉ１１ｂ）／２）／（Ｉ１１ｔ−Ｉ１１ｂ）から求められる前記Ａｓｙｍ値を変化させることにより、階調の強さを計算により予め予測することができる。
【０００６】
請求項４は、前記Ａｓｙｍ値を小さくすることにより、前記可視化された光情報と前記光記録媒体上の信号記録領域とのコントラストを強くすることも本発明の有効な手段である。
前記Ａｓｙｍ値を小さくすることは、最大記録マークと最小記録マークの振幅中心値の差を小さくすることである。従って、完全に同じ振幅にすれば最大記録マークと最小記録マークの振幅中心値は一致して、最もコントラストを強くすることができる。かかる技術手段によれば、前記Ａｓｙｍ値を小さくすることにより、前記可視化された光情報と前記光記録媒体上の信号記録領域とのコントラストを強くするので、容易にコントラストを強くすることができる。
請求項５は、前記階調の異なる領域とのＡｓｙｍ値の差が３％以上異なることも本発明の有効な手段である。
Ａｓｙｍ値は階調の異なる領域との差が大きければ、可視化情報の濃淡が明確になり、少なくとも３％以上の差があることが望ましい。更に好ましくは５％以上が良い。かかる技術手段によれば、前記階調の異なる領域のＡｓｙｍ値の差が３％以上異なるため、可視化情報の濃淡を更に明確にすることができる。
【０００７】
請求項６は、前記光記録媒体からのＲＦ信号の最大スペースのトップレベルをＩ１１ｔ、最大記録マークのボトムレベルをＩ１１ｂ、信号振幅をＭ１１とした場合、Ｍ１１＝（Ｉ１１ｔ−Ｉ１１ｂ）／Ｉ１１ｔから求められる前記Ｍ１１値を変化させることにより前記可視化された光情報に階調を設けたことも本発明の有効な手段である。
前記請求項３ではＡｓｙｍ値を変化させることにより階調をつけたが、Ａｓｙｍ値を一定にして信号の振幅を変化させても階調を変化させることができる。かかる技術手段によれば、Ｍ１１＝（Ｉ１１ｔ−Ｉ１１ｂ）／Ｉ１１ｔから求められる前記Ｍ１１値を変化させることにより、階調を変化させることができる。
請求項７は、前記Ｍ１１値を大きくすることにより、前記可視化された光情報と前記光記録媒体上の信号記録領域とのコントラストを強くすることも本発明の有効な手段である。
Ｍ１１＝（Ｉ１１ｔ−Ｉ１１ｂ）／Ｉ１１ｔの式から、Ｍ１１＝（Ｉ１１ｔ−Ｉ１１ｂ）／Ｉ１１ｔ＝１−Ｉ１１ｂ／Ｉ１１ｔと書き換えることができる。つまり、Ｍ１１値を大きくするには、最大スペースのトップレベルＩ１１ｔと最大記録マークのボトムレベルＩ１１ｂの比を最少にすることである。つまり、形成するピットを大きくすることである。かかる技術手段によれば、前記Ｍ１１値を大きくすることにより、形成されるピットの形状が大きくなり、よりコントラストを強くすることができる。
【０００８】
請求項８は、前記階調の異なる領域のＭ１１値の差が３％以上異なることも本発明の有効な手段である。
Ｍ１１値は階調の異なる領域との差が大きければ、可視化情報の濃淡が明確になり、少なくとも３％以上の差があることが望ましい。更に好ましくは５％以上が良い。かかる技術手段によれば、前記階調の異なる領域のＭ１１値の差が３％以上異なるため、可視化情報の濃淡を更に明確にすることができる。
請求項９は、前記光記録媒体の記録層にシアニン系色素及び又はアゾ系色素を用いていることも本発明の有効な手段である。
可視化情報を記録するのに好適な材料としては、記録前後の色調差が出易い材料が好ましい。有機材料としてはシアニン系の色素を含むもの、又はアゾ系の色素を含むものが好適である。かかる技術手段によれば、前記光記録媒体の記録層にシアニン系色素及び又はアゾ系色素を用いているので、記録前後の色調差が出易くなる。
【０００９】
請求項１０は、前記光記録媒体の記録層が相変化材料によって構成され、前記記録層の構成元素が主にＡｇ及び又はＧｅ、Ｉｎ及び又はＧａ、Ｓｂ、Ｔｅ、Ｎ若しくはＯであり、前記Ａｇ及び又はＧｅの組成比をα、Ｉｎ及び又はＧａの組成比をβ、Ｓｂの組成比をγ、Ｔｅの組成比をδ、Ｎ若しくはＯの組成比をε（原子％）とした場合、０＜α≦６、３≦β≦１５、５０≦γ≦９０、２０≦δ≦３５、０≦ε≦５、α＋β＋γ＋δ＋ε＝１００を満足する材料により構成されていることも本発明の有効な手段である。
相変化材料では記録媒体の記録層が相変化材料によって構成され、記録層の構成元素が主にＡｇ及び又はＧｅ、Ｉｎ及び又はＧａ、Ｓｂ、Ｔｅ、ＮあるいはＯであり、それぞれの組成比α、β、γ、δ、ε、（原子％）が０＜α≦６、３≦β≦１５、５０≦γ≦９０、２０≦δ≦３５、０≦ε≦５、α＋β＋γ＋δ＋ε＝１００の関係を満たす材料において最適な記録が可能である。かかる技術手段によれば、前記組成比を満足するような材料を選択することにより、最適な記録を行うことができる。
請求項１１は、複数の線速で記録可能な相変化型光記録媒体を用いて記録する場合、前記相変化型光記録媒体が有する記録線速のうち、最も速い記録線速にて記録することも本発明の有効な手段である。
相変化型光記録媒体により記録線速の最大値が定められている。また、その記録媒体に記録する記録装置によって必ずしも記録媒体の最大値で記録されるとは限らない。つまり、記録媒体が１０倍速で記録可能でも、記録装置の最大記録線速が８倍速であれば、最大記録線速は８倍になる。かかる技術手段によれば、前記相変化型光記録媒体が有する記録線速のうち、最も速い記録線速にて記録するようにすれば、より短時間で可視化情報を記録することができる。
【００１０】
請求項１２は、複数の線速で記録可能な相変化型光記録媒体を用いて記録する場合、前記可視情報記録領域の記録用案内溝の信号振幅の大きさに基づいて記録線速を決定することも本発明の有効な手段である。
可視化情報を記録する場合、信号記録領域ほど厳格な信号品質は必要ないので、より高線速による記録を行なうことが可能である。しかしながら、記録媒体の種類などによる記録用案内溝の信号品質の差から、高線速記録時に案内溝を見失い記録が出来なくなることがある。本発明では、可視情報記録領域の記録線速として記録用案内溝の信号振幅の大きさから最適な記録線速を決定する。かかる技術手段によれば、前記可視情報記録領域の記録用案内溝の信号振幅の大きさに基づいて記録線速を決定するため、記録媒体の種類に応じた最適な記録線速で記録することができる。
【発明の効果】
【００１１】
請求項１の発明によれば、前記光記録媒体上の信号記録領域以外の外周に、前記光ビームの熱量を変化させた情報を記録し、該情報が可視化された光情報として前記信号記録領域以外の外周の所定領域に記録されるため、容易にしかも安価に記録内容の記録ができる。また、前記光ビームの熱量を所定量以上にすることにより前記可視化された光情報と前記光記録媒体上の信号記録領域とのコントラストを強くすることにより、可視領域の情報のコントラストを強くすることができる。また、前記光ビームを誘導する記録用案内溝の所定領域に、記録を行なわないことにより、コントラストの差を生じさせることができる。
また請求項２では、前記記録マークの形成時に用いる最大熱量を増減することにより前記可視化された光情報を形成するので、コントラストをアナログ的に変化させることができる。
【００１２】
また請求項３では、Ａｓｙｍ＝（（Ｉ３ｔ＋Ｉ３ｂ）／２（Ｉ１１ｔ＋Ｉ１１ｂ）／２）／（Ｉ１１ｔ−Ｉ１１ｂ）から求められる前記Ａｓｙｍ値を変化させることにより、階調の強さを計算により予め予測することができる。
また請求項４では、前記Ａｓｙｍ値を小さくすることにより、前記可視化された光情報と前記光記録媒体上の信号記録領域とのコントラストを強くするので、容易にコントラストを強くすることができる。
また請求項５では、前記階調の異なる領域のＡｓｙｍ値の差が３％以上異なるため、可視化情報の濃淡を更に明確にすることができる。
また請求項６では、Ｍ１１＝（Ｉ１１ｔ−Ｉ１１ｂ）／Ｉ１１ｔから求められる前記Ｍ１１値を変化させることにより、階調を変化させることができる。
また請求項７では、前記Ｍ１１値を大きくすることにより、形成されるピットの形状が大きくなり、よりコントラストを強くすることができる。
【００１３】
また請求項８では、前記階調の異なる領域のＭ１１値の差が３％以上異なるため、可視化情報の濃淡を更に明確にすることができる。
また請求項９では、前記光記録媒体の記録層にシアニン系色素及び又はアゾ系色素を用いているので、記録前後の色調差が出易くなる。
また請求項１０では、前記組成比を満足するような材料を選択することにより、最適な記録を行うことができる。
また請求項１１では、前記相変化型光記録媒体が有する記録線速のうち、最も速い記録線速にて記録するようにすれば、より短時間で可視化情報を記録することができる。
また請求項１２では、前記可視情報記録領域の記録用案内溝の信号振幅の大きさに基づいて記録線速を決定するため、記録媒体の種類に応じた最適な記録線速で記録することができる。
【発明を実施するための最良の形態】
【００１４】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態に係る光記録媒体の記録領域を説明する図である。コンパクトディスクを代表とする光記録媒体１００は、中心に媒体を固定するための中心孔１と、その内周に信号を記録する信号記録領域２と、更にその外周に本発明の可視化情報を記録する可視情報記録領域３により構成されている。光記録媒体１００は内周から記録されているため、外周部に信号情報の記録されていない領域ができる。この領域に可視化情報を記録することにより記録内容などを可視化して記録し、さらに、図や文字などを記録することにより、デザイン性の向上を図ることができる。この領域に可視情報を記録する利点としては、記録装置として通常の光記録装置を流用することができ、容易にかつ安価に実現することが可能な点である。本発明ではさらに、可視化情報に濃淡の階調を加えることにより、その情報量、表現力の向上を図るものである。その一つの手段として本発明では、濃淡の階調の実現方法として、記録時の記録光の熱量を増減することにより実現する方法を見出した。
【００１５】
図２は、一般的な記録信号のＲＦ信号を説明するための図である。これは、ＧＮＤレベル９に対して信号の中心レベル８が、所定のバイアス値により図の上側に配置されている。中心レベル８との交点Ａ，Ｂまでを最短マーク長６と呼び、その振幅レベルＩ３ｂを最短マーク長のボトムレベルと呼ぶ。また、交点ＡからＥまでを最長記録マーク長７と呼び、その振幅レベルＩ１１ｂを最長マーク長のボトムレベルと呼ぶ。同じく、中心レベル８との交点ＢからＣまでを最短スペース長５と呼び、その振幅レベルＩ３ｔを最短スペース長のトップレベルと呼ぶ。また、交点ＢからＤまでを最長スペース長４と呼び、その振幅レベルＩ１１ｔを最長スペースのトップレベルと呼ぶ。
図３は、本発明の第１の実施形態に係る可視化情報を形成する方法を説明する図である。これは、例えば、濃い階調部を１０、淡い階調部を１１とすると、濃い階調部１０の単位面積内には記録用案内溝がＡ〜Ｇまであり、Ａにはマーク１０ａと１０ｂが記録されている。同様にＢには１０ｃ、１０ｄが記録されている。それに対して淡い階調部１１のＡにはマーク１０ａと１０ｂが記録されているが、Ｂには何も記録されていない。このように濃い階調部１０の記録用案内溝Ａ〜Ｇには全てマークが記録されているが、淡い階調部１１の記録用案内溝Ｂ，Ｄ，Ｆには何も記録されていない。
以上のように、光記録媒体には信号を記録可能な案内溝が存在する。そこで、可視化領域に記録する情報のコントラストを強くする別な方法として、前記案内溝の全てに情報を記録する領域と案内溝を１本おきに記録する領域を設ければ、その境界でコントラストの差が生じて可視化情報を形成することができる。これにより、コントラストの差を生じさせることができる。
【００１６】
図４は、本発明の第２の実施形態に係る可視化情報を形成する方法を説明する図である。これは、例えば、濃い階調部を１２、淡い階調部を１３とすると、濃い階調部１２の単位面積内には記録用案内溝がＡ〜Ｇまであり、Ａにはマーク１２ａと１２ｂが記録されている。同様にＢには１２ｃ、１２ｄが記録されている。それに対して淡い階調部１３のＡにはマーク１２ａより少し短いマーク１３ａと１２ｂと同じ１３ｂが記録されている。Ｂにはマーク１２ｃより少し短いマーク１３ｃと１２ｄと同じ１３ｄが記録されている。
以上のように、図３では情報を記録しない案内溝を形成してコントラストに差を生じらせたが、他の方法として、単位面積内のマーク長とマーク数の総和に差をつけてコントラストに差をつける方法がある。これは、前記よりコントラストの差を小さくする場合有効である。これにより、淡いコントラストの可視化情報を形成することができる。
図５は、本発明の第３の実施形態に係る可視化情報を形成する方法を説明する図である。これは、例えば、濃い階調部を２０、淡い階調部を２１とすると、前記光記録媒体１００からのＲＦ信号の最小スペースのトップレベルをＩ３ｔ、最小記録マークのボトムレベルをＩ３ｂ、最大スペースのトップレベルをＩ１１ｔ、最大記録マークのボトムレベルをＩ１１ｂとし、前記最大記録マークと最小記録マークの振幅中心値の差をＡｓｙｍとした場合、
Ａｓｙｍ＝（（Ｉ３ｔ＋Ｉ３ｂ）／２（Ｉ１１ｔ＋Ｉ１１ｂ）／２）／（Ｉ１１ｔ−Ｉ１１ｂ）・・・（１）
となる。
これから求められるＡｓｙｍ値を変化させることにより可視化された光情報に階調を設けることができる。図で全ての振幅が等しければ、Ａｓｙｍ値は０となり、最大記録マークと最小記録マークの振幅中心値２２は一致する。しかし、これらの信号振幅のどれかを変化させるとＡｓｙｍ値は異なる値となり、最大記録マークの振幅中心値２４と最小記録マークの振幅中心値２３は一致しなくなる。この変化を利用して階調を微妙に変化させることができる。これにより、階調の強さを計算により予め予測することができる。
【００１７】
図６は、本発明の第４の実施形態に係る可視化情報を形成する方法を説明する図である。これは、例えば、濃い階調部を３０、淡い階調部を３１とすると、前記光記録媒体からのＲＦ信号の最大スペースのトップレベルをＩ１１ｔ、最大記録マークのボトムレベルをＩ１１ｂ、信号振幅をＭ１１とした場合、
Ｍ１１＝（Ｉ１１ｔ−Ｉ１１ｂ）／Ｉ１１ｔ・・・（２）
から求められるＭ１１値を変化させることにより可視化された光情報に階調を設けることができる。前記図５ではＡｓｙｍ値を変化させることにより階調をつけたが、Ａｓｙｍ値を一定にして信号の振幅を変化させても階調を変化させることができる。
その他の方法として、光ビームの熱量をアナログ的に変化させれば同じ可視化情報を記録してもコントラストの異なる可視化像を形成することができる。また、図３〜６の組合わせにより更に細かくコントラストを生成することができる。
また、Ａｓｙｍ値は階調の異なる領域との差が大きければ、可視化情報の濃淡が明確になり、少なくとも３％以上の差があることが望ましい。更に好ましくは５％以上が良い。
【００１８】
次に、可視情報を記録するのに好適な材料としては、記録前後の色調差が出易い材料が好適である。有機材料としてはシアニン系の色素を含むものまたはアゾ系の色素を含むものが好適である。また、相変化材料では記録媒体の記録層が相変化材料によって構成され、記録層の構成元素が主にＡｇ及び又はＧｅ、Ｉｎ及び又はＧａ、Ｓｂ、Ｔｅ、ＮあるいはＯであり、それぞれの組成比α、β、γ、δ、ε、（原子％）が０＜α≦６、３≦β≦１５、５０≦γ≦９０、２０≦δ≦３５、０≦ε≦５、α＋β＋γ＋δ＋ε＋ζ＝１００の関係を満たす材料において好適な記録が可能である。
また、可視情報の記録は信号記録領域ほど厳格な信号品質は必要ないので、より高線速による記録を行なうことが可能である。しかしながら、記録媒体の種類などによる記録用案内溝の信号品質の差から、高線速記録時に案内溝を見失い記録が出来なくなることがある。本発明では、可視情報記録領域の記録線速として記録用案内溝の信号振幅の大きさから最適な記録線速を求めた。
【００１９】
更に、本発明の実施に必要な構成は可視情報を記録領域に配置するための演算機能、と可視情報を記録する領域を認識する機能と、記録光により記録媒体上に記録マークを構成する機能を有していることである。さらに相変化記録媒体に記録する場合は領域のマークを消去する機能を付加することにより可視情報を書き換えることも可能になる。さらに記録用案内溝の信号振幅を評価する機能と、その信号振幅から最適な記録線速を割り出す演算機能を付加する事により、記録媒体に最適な記録線速により可視情報を記録することができる。
また、本発明は光記録媒体ＣＤ−Ｒ／ＲＷなどに用いられるものである。更に類似の記録層材料を用いている次世代光記録媒体ＤＶＤ−Ｒ／ＲＷ、ＤＶＤ＋Ｒ／ＲＷ、ＤＶＤ−ＲＡＭにも応用できるものである。また、本発明の記録再生装置に必要な構成は、一般的なＣＤ−Ｒ／ＲＷドライブ、ＤＶＤ−Ｒ、ＤＶＤ−ＲＷ、ＤＶＤ＋ＲＷドライブにおいて容易に実現可能であり、ＣＤ−Ｒ／ＲＷ、ＤＶＤ−Ｒ、ＤＶＤ−ＲＷ、ＤＶＤ＋ＲＷ媒体の高い記録再生互換性を維持したまま実施可能である。
【実施例】
【００２０】
以下の実施例においてＣＤ−ＲＷを用いて本発明の効果を確認した。実施例に用いた光記録媒体は、ＣＤ−Ｒはシアニン系記録層品として太陽誘電製ＣＤ−Ｒ“ＣＤＲ−８０ＴＹ”、ＴＤＫ製“ＣＤ−Ｒ８０ＴＦ”、アゾ系記録層品として三菱化学製“ＣＤＲ７４ＡＡ”、フタロシアニン系記録層品としてリコー製“ＣＤＲ７４”、ＣＤ−ＲＷとしてリコー製の“ＣＤＲＷ  ７４  １０Ｘ”を用いた。記録装置としてリコー製ＣＤ−Ｒ／ＲＷドライブＭＰ７２００Ａを可視情報記録可能な仕様にしたもので記録した。このドライブは記録用の案内溝の信号振幅により最適記録線速を調整する機能を有する。記録する可視情報はＰＣにより記録媒体上に記録できるフォーマットに変換した。記録位置へのアクセスは各記録媒体の記録用案内溝のアドレス情報を用いた。可視情報記録パルスはランダムＥＦＭをドライブのストラテジにて発光パルスにしたものを用いた。
また、評価方法は各記録方法で可視情報を記録し、その領域の濃淡を目視により判別した。評価は“○”（濃淡の明瞭な差を確認）、“△”（濃淡の差を確認）、“×”（濃淡の差が不明瞭）の３種により評価した。
【００２１】
図７は本発明に係る実施例１の評価結果の図である。これは、請求項３に記載の記録方法による結果である。本実施例で用いた記録媒体はほぼ同心円となる螺旋状の記録用案内溝を有しており、記録光を発しない周回を設けることにより濃淡の階調を実現できるか調べたものである。各記録媒体に記録光を発光しない周回の割合を変え、目視により判別、評価した。これによると、シアニン系ＣＤ−Ｒ、アゾ系ＣＤ−Ｒ、ＣＤ−ＲＷでは記録光を発光しない周回の割合を２／５以上にすることで可視情報に濃淡の階調を付けることが出来ることを確認した。
図８は本発明に係る実施例２の評価結果の図である。実施例２は領域におけるマークの割合、すなわち単位面積における各マークのマーク長と数の積の総和に差をつけることにより、濃淡の階調をつける方法を実施したものである。本実施例では各記録マークの長さを一律１０ｎｓ、２０ｎｓ、４０ｎｓ、８０ｎｓ増加させて記録を行なった。記録マークの長さを４０ｎｓ以上増加させることで可視情報に濃淡の階調を付けることが出来ることを確認した。
【００２２】
図９は本発明に係る実施例３の評価結果の図である。実施例３は記録マークを形成する際の最大熱量を増減することにより、濃淡の階調を実現できるか調べたものである。本実施例で用いた基準の記録マークの最大熱量は各記録媒体の最適記録パワーとし、その値から±５％、±１０％、±２０％振ったときの濃淡の階調を実現できるか調べたものである。記録パワーの増減により濃淡の階調を付けることが出来ることを確認した。また、記録パワーを小さくすることにより階調は淡く、記録パワーを大きくすることで階調は濃くなることが確認できた。
図１０は本発明に係る実施例４の評価結果の図である。実施例４は記録信号のＡｓｙｍｍｅｔｒｙと可視情報の濃淡の判別の結果である。Ａｓｙｍｍｅｔｒｙの変動は記録パワーの変更、記録パワーと消去パワーの比率の変更、記録マーク長の変更、記録光のスポット形状の変更などにより調整することが出来る。本実施例では、ＣＤ−Ｒは記録パワーの変更により、ＣＤ−ＲＷは消去パワーの変更によりＡｓｙｍｍｅｔｒｙの調整を行なった。Ａｓｙｍｍｅｔｒｙの変動が３％以上であれば可視情報に濃淡の階調を付けることが出来ることを確認した。また、Ａｓｙｍｍｅｔｒｙを大きくすることにより階調は淡く、小さくすることで階調は濃くなることが確認できた。
【００２３】
図１１は本発明に係る実施例５の評価結果の図である。実施例５は記録信号振幅Ｍの変動と可視情報の濃淡の判別の結果である。信号振幅の変動は記録パワーの変更、記録マーク長の変更により調整することが可能である。本実施例では記録パワーの変更により信号振幅Ｍを調整した。ΔＭが３％以上であれば可視情報に濃淡の階調を付けることが出来ることを確認した。また、ΔＭを小さくすることにより階調は淡く、ΔＭを大きくすることで階調は濃くなることが確認できた。
【図面の簡単な説明】
【００２４】
【図１】本発明の実施形態に係る光記録媒体の記録領域を説明する図である。
【図２】一般的な記録信号のＲＦ信号を説明するための図である。
【図３】本発明の第１の実施形態に係る可視化情報を形成する方法を説明する図である。
【図４】本発明の第２の実施形態に係る可視化情報を形成する方法を説明する図である。
【図５】本発明の第３の実施形態に係る可視化情報を形成する方法を説明する図である。
【図６】本発明の第４の実施形態に係る可視化情報を形成する方法を説明する図である。
【図７】本発明に係る実施例１の評価結果の図である。
【図８】本発明に係る実施例２の評価結果の図である。
【図９】本発明に係る実施例３の評価結果の図である。
【図１０】本発明に係る実施例４の評価結果の図である。
【図１１】本発明に係る実施例５の評価結果の図である。
【符号の説明】
【００２５】
１  中心孔、２  信号記録領域、３  可視情報記録領域
【図１】
2007287316.tif 000003
【図２】
2007287316.tif 000004
【図３】
2007287316.tif 000005
【図４】
2007287316.tif 000006
【図５】
2007287316.tif 000007
【図６】
2007287316.tif 000008
【図７】
2007287316.tif 000009
【図８】
2007287316.tif 000010
【図９】
2007287316.tif 000011
【図１０】
2007287316.tif 000012
【図１１】
2007287316.tif 000013